(57)【特許請求の範囲】
【請求項１】
測定装置本体と、前記測定装置本体によって測定された測定データに基づく測定結果を印刷可能に構成された印刷装置とを備え、前記測定装置本体および前記印刷装置は、互いに連結または分離が可能にそれぞれ構成され、
前記測定装置本体は、前記印刷装置に対する印刷命令を設定するための設定部と、前記印刷装置の連結を検出する連結検出部とを備え、前記設定部は、前記連結検出部によって前記連結が検出されたときに、前記印刷命令の設定を許容することを特徴とする測定装置。
【請求項２】
前記測定装置本体は、前記測定結果に対応する測定結果データおよび前記測定データの少なくとも一方を記憶させるための外部記憶装置を接続可能に構成されていることを特徴とする請求項１記載の測定装置。
【請求項３】
前記印刷装置の分離時に当該印刷装置に代えて前記測定装置本体に分離可能に連結するためのカバーを備えていることを特徴とする請求項１または２記載の測定装置。
【発明の詳細な説明】
【０００１】
【発明の属する技術分野】
本発明は、測定データに基づく測定結果を印刷可能に構成された測定装置に関するものである。
【０００２】
【従来の技術】
例えば波形記録装置や波形表示装置などの波形測定装置は、一般的に、測定結果を表示する表示部や、測定結果を印刷するプリンタを備えており、信号入力チャンネルを介して入力した記録対象信号についての信号波形を表示部に表示させたり、プリンタに印刷させたりすることができるように構成されている。この場合、プリンタとしては、通常、波形測定装置の一部として波形測定装置の内部に配設されて分離できないタイプ（以下、「前者のタイプ」ともいう）、および通信ラインを介して波形生成装置に接続され別個独立した汎用プリンタ（以下、「後者のタイプ」ともいう）のいずれか一方が用いられている。
【０００３】
【発明が解決しようとする課題】
ところが、従来の波形測定装置には、以下の問題点がある。すなわち、前者のタイプのプリンタを用いた波形測定装置では、プリンタを波形測定装置の内部に配設させている。このため、プリンタは、測定結果を表示部に表示させるだけで十分とするユーザにとっては本来不要であり、その分の販売価格が上昇することにより販売競争力を低下させる原因ともなる。したがって、メーカでは、通常、プリンタを波形測定装置に内蔵しないタイプと、内蔵したタイプとを販売することで、ユーザの要求に合致させると共に販売競争力の強化を図っている。
【０００４】
しかし、プリンタを内蔵しないタイプの場合、プリンタ配設用スペースを有効に活用できないことになり、装置の大型化を招いているという問題が生じている。一方、プリンタを内蔵したタイプの場合には、プリンタの内蔵に起因して、屋外使用時における携帯性の悪化を招いているという問題点がある。加えて、複数の波形測定装置を有するユーザに対しては、プリンタを共用使用することができないため、不経済な測定装置と認識されてしまうという問題点もある。
【０００５】
また、後者のタイプのプリンタを用いた波形測定装置では、汎用プリンタを用いているため、連続紙を記録紙として使用することができない。このため、このタイプの波形測定装置には、連続紙を使用して、信号波形を連続して印刷したいと希望するユーザの要求を満たすことができないという問題点がある。
【０００６】
本発明は、かかる問題点に鑑みてなされたものであり、測定装置本体の小型低価格化を図りつつユーザの印刷仕様要求に応じた印刷が可能な測定装置を提供することを主目的とする。また、印刷装置を共用可能な測定装置を提供することを他の目的とする。
【０００７】
【課題を解決するための手段】
上記目的を達成すべく請求項１記載の測定装置は、測定装置本体と、測定装置本体によって測定された測定データに基づく測定結果を印刷可能に構成された印刷装置とを備え、測定装置本体および印刷装置は、互いに連結または分離が可能にそれぞれ構成され、請求項２記載の測定装置は、請求項１記載の測定装置において、測定装置本体は、印刷装置に対する印刷命令を設定するための設定部と、印刷装置の連結を検出する連結検出部とを備え、設定部は、連結検出部によって連結が検出されたときに、印刷命令の設定を許容することを特徴とする。
【０００８】
請求項２記載の測定装置は、請求項１記載の測定装置において、測定装置本体は、測定結果に対応する測定結果データおよび測定データの少なくとも一方を記憶させるための外部記憶装置を接続可能に構成されていることを特徴とする。
【０００９】
請求項３記載の測定装置は、請求項１または２記載の測定装置において、印刷装置の分離時に印刷装置に代えて測定装置本体に分離可能に連結するためのカバーを備えていることを特徴とする。
【００１０】
【発明の実施の形態】
以下、添付図面を参照して、本発明に係る測定装置を波形記録装置に適用した実施の形態について説明する。
【００１１】
図１に示すように、波形記録装置１は、記録装置本体２と、記録装置本体２によって測定された測定データに基づく測定結果を印刷するためのプリンタ３と、カバー４と、本発明における外部記憶装置に相当するＰＣカード５とを備えて構成されている。この場合、記録装置本体２は、ＢＮＣ型のコネクタ６を介して、例えば４チャネルの信号入力ｃｈからそれぞれ入力した記録対象信号についての波形データを記録または表示したり、その信号波形を印刷したりすることができるように構成されている。
【００１２】
また、プリンタ３は、記録装置本体２に対して分離可能に連結することができるように構成されている。具体的には、図１に示すように、記録装置本体２の左側部には、連結用の凸部２ａ，２ａが形成され、プリンタ３の右側部には、連結用の凹部３ａ，３ａが形成されている。このため、連結時には、凸部２ａ，２ａを凹部３ａ，３ａにそれぞれ嵌合させ、その状態で、凹部３ａに形成されている連結用孔３ｂ、および凸部２ａに形成されている連結用孔２ｂに挿通させたボルト７をボルト締めすることにより、図２に示すように、記録装置本体２およびプリンタ３が連結される。この際には、予め対向する位置にそれぞれ配設された記録装置本体２のコネクタ２３（図４参照）とプリンタ３のコネクタ４６とが互いに接続される。一方、プリンタ３を使用しないときには、記録装置本体２に対してカバー４を分離可能に連結させることができる。この際には、カバー４に形成された連結用の凹部４ａ，４ａに記録装置本体２の凸部２ａ，２ａを嵌合させた状態で、凹部４ａに形成されている連結用孔４ｂ、および凸部２ａに形成されている連結用孔２ｂに挿通させたボルト７をボルト締めすることによって、図３に示すように、カバー４を記録装置本体２に容易に連結することができる。この結果、プリンタ３に接続するための記録装置本体２側のコネクタ２３がカバー４によって覆われるため、美観の向上を図ることができると共にコネクタ２３における端子の短絡事故などが防止される。
【００１３】
次に、図４を参照して、波形記録装置１の電気的な構成について説明する。
【００１４】
同図に示すように、記録装置本体２は、コネクタ６を介して入力される記録対象信号ＳINをそれぞれ増幅する例えば４つの入力アンプ１１，１１・・と、入力アンプ１１によって増幅された記録対象信号ＳINをそれぞれアナログ−ディジタル変換する４つのＡ／Ｄ変換器１２，１２・・と、各Ａ／Ｄ変換器１２，１２・・によって変換されたディジタルデータを記録対象データＤR として合成するデータ合成部１３と、記録対象データＤR や後述する各種の信号およびデータの受け渡しを実行するインターフェース回路１４とを備えている。
【００１５】
また、記録装置本体２は、ＣＰＵ１５、ＲＡＭ１６、ＲＯＭ１７、ＰＣカードスロット１８、ＬＣＤ１９、ＬＣＤ駆動回路２０、ＶＲＡＭ２１、操作部２２およびコネクタ２３を備えている。
【００１６】
ＣＰＵ１５は、本発明における連結検出部、設定部および電源供給制御部に相当し、インターフェース回路１４やバスライン２４を介しての各種の信号およびデータの入出力、入力した記録対象データＤR の記録制御およびＬＣＤ１９に対する表示制御、並びに波形記録装置１における各種の制御を実行する。ＲＡＭ１６は、ＣＰＵ１５の演算結果や記録対象データＤR などを一時的に記憶し、ＲＯＭ１７は、ＣＰＵ１５の動作プログラムなどを記憶する。ＰＣカードスロット１８は、ＣＰＵ１５の制御下で、挿入されたＰＣカード５に記録対象データＤR などを記憶させる。ＬＣＤ１９は、例えばＴＦＴカラーＬＣＤで構成され、ＬＣＤ駆動回路２０は、ＣＰＵ１５の制御下で、波形表示用画面や各種の動作条件設定用画面などの複数画面を切り替えてＬＣＤ１９に表示させる。ＶＲＡＭ２１は、ＬＣＤ１９に表示させる複数の表示画面を記憶する。
【００１７】
操作部２２は、各種の動作条件を設定するためのものであって、ＣＰＵ１５と相俟って本発明における設定部を構成する。この操作部２２は、図２に示すように、ＬＣＤ１９に表示させる複数種類の動作条件設定用画面を順次切り替えて表示させるための表示画面切替キーとして機能するＳＹＳキー３１と、ＬＣＤ１９の表示画面を動作条件設定用画面から波形表示用画面に切り替えるための表示画面切替キーとして機能するＤＩＳＰキー３２と、常態ではチャネル指定キーとして機能すると共に装置の動作状態に応じて様々な機能が自動的に割り当てられるキー３４ａ〜３４ｄと、測定開始用のＳＴＡＲＴキー３５と、測定停止用のＳＴＯＰキー３６とを備えるほか、各種のキーを備えている。コネクタ２３は、プリンタ３の接続用コネクタとして機能する。
【００１８】
一方、プリンタ３は、記録対象信号ＳINの波形信号などを印刷するためのものであって、図４に示すように、連続紙を搬送するための紙送りモータ４１と、紙送りモータ４１を駆動するモータドライバ４２と、印刷用のサーマルヘッド４３と、サーマルヘッド４３およびモータドライバ４２に直流電源を供給するＤＣ／ＤＣコンバータ４４と、ＤＣ／ＤＣコンバータ４４の作動を制御するためのバッファ回路４５と、記録装置本体２のコネクタ２３に接続するためのコネクタ４６とを備えている。この場合、コネクタ４６は、サーマルヘッド４３や紙送りモータ４１を駆動する際のメイン電源を供給するための端子ａ、制御電源を供給するための端子ｂ、ＤＣ／ＤＣコンバータ４４の出力電圧を制御するための端子ｃ、ＤＣ／ＤＣコンバータ４４の出力電圧のオン／オフを制御するための電源制御用の端子ｄ、記録装置本体２へのプリンタ３の連結を検出させるための連結検出用の端子ｅ、および紙送りモータ４１の制御用端子やサーマルヘッド４３への印刷データを出力するための端子などを備えている。
【００１９】
次に、波形記録装置１の全体的な動作について説明する。
【００２０】
この波形記録装置１では、図外の電源スイッチが投入されると、ＣＰＵ１５が、初期画面として、図３に示す波形表示用画面５１をＬＣＤ１９に表示させる。次いで、ＣＰＵ１５は、プリンタ３の接続確認処理を実行する。この処理では、ＣＰＵ１５は、コネクタ２３の端子ｅの電圧を接続確認信号ＳCON としてインターフェース回路１４を介して入力する。この際に、接続確認信号ＳCON は、コネクタ２３の端子ｅが抵抗２５によって電源電圧Ｂにプルアップされているため、プリンタ３が記録装置本体２に連結されているときにはローレベルとなり、プリンタ３が連結されていないときにはハイレベルとなる。したがって、ＣＰＵ１５は、接続確認信号ＳCON のレベルを監視することにより、プリンタ３の連結または非連結を検出する。
【００２１】
ＣＰＵ１５は、プリンタ３が連結されていると判別したときには、インターフェース回路１４、およびコネクタ２３の端子ｄを介してプリンタ作動信号ＳPON を出力する。この際には、プリンタ３内のバッファ回路４５が、ＤＣ／ＤＣコンバータ４４に対してプリンタ作動信号ＳPONを出力することにより、ＤＣ／ＤＣコンバータ４４を作動させる。これにより、ＤＣ／ＤＣコンバータ４４がサーマルヘッド４３およびモータドライバ４２に対して直流電源を出力する。同時に、ＣＰＵ１５は、装置電源として、図外の内蔵バッテリーが使用されるときには、インターフェース回路１４、およびコネクタ２３の端子ｃを介して電圧制御信号ＳVCを出力する。この際には、バッファ回路４５が、電圧制御信号ＳVCをＤＣ／ＤＣコンバータ４４に出力することにより、ＤＣ／ＤＣコンバータ４４の出力電圧を例えば４．５Ｖに規定する。装置電源として、ＡＣ電源が使用されるときには、ＣＰＵ１５は、電圧制御信号ＳVCの出力を停止する。この際には、ＤＣ／ＤＣコンバータ４４は、その出力電圧を例えば６Ｖに規定する。このように、装置電源として内蔵バッテリーを使用する際には、プリンタ３内で用いる直流電圧を低下させることにより、低消費電力化が図られている。一方、プリンタ３が非連結と判別したときには、ＣＰＵ１５は、プリンタ作動信号ＳPON の出力を停止する。
【００２２】
次いで、オペレータが、測定開始に先立って、測定データの出力先設定処理を実行する。この処理は、測定データの出力先を設定するための処理であって、まず、ＳＹＳキー３１を操作する。この際には、ＣＰＵ１５は、図２に示すように、データ出力先設定用画面５２をＬＣＤ１９に表示させる。この場合、ＣＰＵ１５は、各キー３４ａ〜３４ｃに対してデータ出力先選択機能を割り当てると共に、割り当てられた機能を示す機能表示３７ａ〜３７ｃを各キー３４ａ〜３４ｃに対応させてそれぞれＬＣＤ１９に表示させる。この場合、ＣＰＵ１５は、プリンタ３が連結状態のときには、キー３４ａ〜３４ｃのデータ出力先選択機能を有効にすると共に機能表示３７ａ〜３７ｃを表示させる。これにより、ＰＣカード５への記録対象データＤR の記録、およびプリンタ３による測定結果の印刷のいずれか一方または両者を設定することができる。一方、プリンタ３が非連結状態のときには、ＣＰＵ１５は、キー３４ｂ，３４ｃのデータ出力先選択機能を無効にすると共に機能表示３７ｂ，３７ｃを非表示にさせる。これにより、プリンタ３の非連結時における無効なプリント命令の設定が防止される結果、オペレータは、誤った操作に起因しての再測定などを回避することができる。
【００２３】
この後、ＤＩＳＰキー８が操作されると、ＣＰＵ２２は、ＬＣＤ１９に対して、データ出力先設定用画面５２に代えて、波形表示用画面５１を表示させる。次いで、ＳＴＡＲＴキー３５が操作されると、例えば、チャネル１，２用のコネクタ６，６を介して記録対象信号ＳINが入力され、そのコネクタ６，６に対応する入力アンプ１１，１１が各記録対象信号ＳIN，ＳINをそれぞれ増幅する。次いで、増幅した記録対象信号ＳIN，ＳINがＡ／Ｄ変換器１２によってディジタルデータにそれぞれ変換された後、データ合成部１３によって記録対象データＤR ，ＤR に変換され、この後、インターフェース回路１４を介してＲＡＭ１６に転送されて記憶される。次いで、ＣＰＵ１５は、図３に示すように、その記録対象データＤR ，ＤR に基づく測定結果である信号波形Ｗ１，Ｗ２をＬＣＤ１９に表示させる。この場合、例えば、データ出力先としてＰＣカード５に設定されているときには、ＣＰＵ１５は、ＰＣカードスロット１８に記録対象データＤR を転送することにより、記録対象データＤR をＰＣカード５に記録させる。また、データ出力先としてプリンタ３に設定されているときには、ＣＰＵ１５は、インターフェース回路１４を介してプリンタ３内のサーマルヘッド４３に印刷用データＳS を出力すると共に、モータ駆動信号ＳM をモータドライバ４２に出力することにより、信号波形Ｗ１，Ｗ２を連続紙に印刷させる。
【００２４】
一方、記録装置本体２を屋外で使用する際には、図３に示すように、カバー４を記録装置本体２に連結することにより、波形記録装置１の小型軽量化が図られて携帯性が向上する。この際には、データ出力先としてデータ出力先設定用画面５２上においてＰＣカード５に設定することにより、記録対象データＤR がＰＣカード５に記録される。また、測定後の信号波形の印刷時には、カバー４に代えてプリンタ３を記録装置本体２に連結する。次いで、データ出力先をデータ出力先設定用画面５２上においてプリンタ３に設定することにより、プリンタ３に対して、ＰＣカード５に記録した記録対象データＤR の印刷を実行させることができる。
【００２５】
また、複数の波形記録装置１を使用するときには、１台の記録装置本体２にのみプリンタ３を連結し、他の複数の記録装置本体２にはカバー４をそれぞれ連結しておくこともできる。この際には、他の記録装置本体２によって測定された記録対象データＤR をＰＣカード５に記録させ、プリンタ３が連結された記録装置本体２にＰＣカード５を挿入して印刷させることにより、１台のプリンタ３を複数の記録装置本体２で共用することができる。この結果、波形記録装置１の経済性を向上させることができる。
【００２６】
なお、本発明は、上記した発明の実施の形態に限定されない。例えば、本発明の実施の形態では、データ出力先設定処理の際に、キー３４ｂ，３４ｃに機能を割り付けない例について説明したが、機能表示３７ｂ，３７ｃの表示色を変えることによって、データ出力先をプリンタ３に設定できないことを報知するようにしてもよい。また、例えば、コネクタ２３およびコネクタ４６間を互いに接続するケーブルを使用して記録装置本体２およびプリンタ３間を連結してもよい。また、本発明における外部記憶装置としては、フロッピィーディスクやＣＤＲＯＭなどの各種の記憶媒体を用いることができる。さらに、本発明の実施の形態では、本発明に係る測定装置として波形記録装置１を例に挙げて説明したが、本発明に係る測定装置は、電圧計、電流計および電力計などの種々の測定装置に適用できるのは勿論である。
【００２７】
【発明の効果】
以上のように、請求項１記載の測定装置によれば、測定装置本体および印刷装置の互いの連結または分離を可能に構成したことにより、印刷装置を分離しておくことにより、測定装置本体の小型軽量化および低価格化を図ることができる。また、印刷装置が必要とされるときには、測定装置本体に印刷装置を連結することにより、印刷装置に対して、ユーザの印刷仕様要求に応じた印刷を行わせることができる。
【００２８】
また、この測定装置によれば、設定部が連結検出部によって印刷装置の連結が検出されたときに印刷命令の設定を許容することにより、印刷装置の非連結時における無効な印刷命令の設定が防止されるため、オペレータは、誤った操作に起因しての再測定などを回避することができる。
【００２９】
さらに、請求項２記載の測定装置によれば、外部記憶装置を接続可能に測定装置本体を構成したことにより、複数の測定装置を使用する場合には、外部記憶装置に測定結果データまたは測定データを記憶させることにより、１台の印刷装置を複数の測定装置本体で共用することができ、これにより、測定装置の経済性を向上させることができる。
【００３０】
また、請求項３記載の測定装置によれば、印刷装置の分離時に印刷装置に代えて測定装置本体に分離可能に連結させるためのカバーを備えたことにより、印刷装置の非連結時における測定装置の美観を向上させることができると共に、印刷装置に接続するためのコネクタの短絡事故などを防止することができる。
【図面の簡単な説明】
【図１】  本発明の実施の形態に係る波形記録装置１の構成を示す構成図である。
【図２】  記録装置本体２にプリンタ３が連結されているときの波形記録装置１の動作状態の一例を示す外観図である。
【図３】  記録装置本体２にカバー４が連結されているときの波形記録装置１の動作状態の一例を示す外観図である。
【図４】  波形記録装置１のブロック図である。
【符号の説明】
１  波形記録装置
２  記録装置本体
３  プリンタ
４  カバー
５  ＰＣカード
１５  ＣＰＵ
１８  ＰＣカードスロット
１９  ＬＣＤ
２２  操作部
２５  抵抗
３４ａ〜３４ｄ  キー
【図１】
0004090611.tif 000002
【図２】
0004090611.tif 000003
【図３】
0004090611.tif 000004
【図４】
0004090611.tif 000005